(57)【要約】【課題】バッテリーポストに対するバッテリーターミナルの取り付けの信頼性を高める。【解決手段】バッテリーターミナル１０は、上向きに縮径される円錐台形のバッテリーポスト９０を取り囲む有端環状の包囲部１１と、包囲部１１の両端から側方へ相対向して突出する一対の締付片１２とを備える。両締付片１２に、それぞれ同軸で貫通する孔１７が形成され、ボルト５０が孔１７に挿入されてナット６０との間に両締付片１２を締め付けることにより、両締付片１２が互いに接近し、かつ包囲部１１が縮径されてバッテリーポスト９０の外周面に取り付けられる。両締付片１２の一方には、その下端から上方へ折り返され、その折り返しの外側面に対するボルト５０及びナット６０の締め付けに伴い、締付片１２の下端を支点として弾性変形される折曲片２３が形成されている。【選択図】図７
2011129418.tif 000002
【特許請求の範囲】
【請求項１】
上向きに縮径された円錐台形のバッテリーポストを取り囲む有端環状の包囲部と、
前記包囲部の両端から相対向して突出する一対の締付片とを備え、
前記両締付片に、それぞれ同軸で貫通する孔が形成され、固定具が前記両孔に挿入されて前記両締付片を締め付けることにより、前記両締付片が互いに接近し、かつ前記包囲部が縮径されて前記バッテリーポストの外周面に固定されるバッテリーターミナルであって、
前記両締付片の少なくとも一方には、その下端部から上方へ折り返され、その折り返しの外側面に対する前記固定具の締め付けに伴い、前記締付片の下端部を支点として弾性変形される折曲片が形成されていることを特徴とするバッテリーターミナル。
【請求項２】
前記折曲片が、前記固定具の締付部分の下半部に当接して上半部には当接しない請求項１記載のバッテリーターミナル。
【請求項３】
前記固定具が、ボルトとナットとからなり、前記折曲片が、前記ナットを受ける側に形成されている請求項１又は２記載のバッテリーターミナル。
【発明の詳細な説明】
【技術分野】
【０００１】
本発明は、バッテリーターミナルに関する。
【背景技術】
【０００２】
特許文献１には、従来のバッテリーターミナルが開示されている。このものは、上向きに縮径された円錐台形のバッテリーポストに取り付けられる有端環状の包囲部と、包囲部の両端から互いに相対向して突出する一対の締付片とを備えている。両締付片には、それぞれ同軸で貫通する孔が形成され、両孔に、ボルトの軸部が挿入されている。両締付片のうち、一方の締付片にはナットが着座され、他方の締付片にはボルトの頭部が着座されている。そして、ナットにボルトをねじ込むことにより、両締付片が締め付けられて互いに接近し、それに伴い包囲部が縮径されて、バッテリーポストに固定されるようになっている。
【先行技術文献】
【特許文献】
【０００３】
【特許文献１】特開２００８−３００２０５
【発明の概要】
【発明が解決しようとする課題】
【０００４】
ところで、上記従来のバッテリーターミナルによれば、バッテリーポストが上向きに縮径される円錐台形であることに起因し、ボルト及びナットの両締付片への締め付けに伴い、包囲部がバッテリーポストの外周面を摺動して上方へ変位することがあった。そうすると、バッテリーポストに対するバッテリーターミナルの取付位置が正規よりも浮き上がって浅くなり、最悪の場合、バッテリーポストからバッテリーターミナルが外れるおそれがあった。
【０００５】
本発明は上記のような事情に基づいて完成されたものであって、バッテリーポストに対するバッテリーターミナルの取り付けの信頼性を高めることを目的とする。
【課題を解決するための手段】
【０００６】
上記の目的を達成するための手段として、請求項１の発明は、上向きに縮径された円錐台形のバッテリーポストを取り囲む有端環状の包囲部と、前記包囲部の両端から相対向して突出する一対の締付片とを備え、前記両締付片に、それぞれ同軸で貫通する孔が形成され、固定具が前記両孔に挿入されて前記両締付片を締め付けることにより、前記両締付片が互いに接近し、かつ前記包囲部が縮径されて前記バッテリーポストの外周面に固定されるバッテリーターミナルであって、前記両締付片の少なくとも一方には、その下端部から上方へ折り返され、その折り返しの外側面に対する前記固定具の締め付けに伴い、前記締付片の下端部を支点として弾性変形される折曲片が形成されているところに特徴を有する。
【０００７】
請求項２の発明は、請求項１に記載のものにおいて、前記折曲片が、前記固定具の締付部分の下半部に当接して上半部には当接しないところに特徴を有する。
【０００８】
請求項３の発明は、請求項１又は２に記載のものにおいて、前記固定具が、ボルトとナットとからなり、前記折曲片が、前記ナットを受ける側に形成されているところに特徴を有する。
【発明の効果】
【０００９】
＜請求項１の発明＞
バッテリーポストが上向きに縮径された円錐台形であるため、固定具の両締付片への締め付けに伴い、包囲部がバッテリーポストの外周面を上方へ摺動し、バッテリーポストに対するバッテリーターミナルの取付位置が浅くなるおそれがある。しかるに本発明によれば、両締付片のうちの少なくとも一方に、その下端部から上方へ折り返され、折り返しの外側面に対する固定具の締め付けに伴い、締付片の下端部を支点として弾性変形される折曲片が形成されているため、折曲片の弾性変形動作により、包囲部にその浮き上がりを規制する下向きの抑止力がはたらくようになる。その結果、バッテリーポストに対するバッテリーターミナルの取付位置が浅くなるのが回避され、ひいてはバッテリーターミナルの取り付けの信頼性が高められる。
【００１０】
＜請求項２の発明＞
折曲片が固定部の締付部分の下半部に当接して上半部には当接しないため、包囲部の浮き上がりを規制する下向きの抑止力がより大きく作用することとなり、バッテリーポストに対するバッテリーターミナルの取り付けの信頼性がいっそう高められる。
【００１１】
＜請求項３の発明＞
折曲片がナットを受ける側に形成されているから、締め付けの過程で、ナットと折曲片とが常時接触する状態に保たれる。その結果、折曲片が円滑に弾性変形される。
【図面の簡単な説明】
【００１２】
【図１】本発明の実施形態１に係るバッテリーターミナルの平面図である。
【図２】バッテリーターミナルの側面図である。
【図３】バッテリーターミナルの正面図である。
【図４】固定具による締め付け前のバッテリーターミナルの側面図である。
【図５】固定具による締め付け後のバッテリーターミナルの側面図である。
【図６】固定具による締め付け前のバッテリーターミナルの正面図である。
【図７】固定具による締め付け後のバッテリーターミナルの正面図である。
【発明を実施するための形態】
【００１３】
＜実施形態１＞
本発明の実施形態１を図１ないし図７によって説明する。実施形態１に係るバッテリーターミナル１０は、プレスにより所定形状に打ち抜かれた金属板を曲げ加工等して一体に成形され、図１に示すように、包囲部１１、締付片１２、及びバレル部１３を備えている。
【００１４】
包囲部１１は、バッテリーポスト９０に取り付けられて電気的に接続されるようになっている。バッテリーポスト９０は、図４に示すように、上端へ向けて次第に径が小さくなるテーパ状の円柱形状をなし、換言すれば、上向きに縮径される円錐台形状をなしている。
【００１５】
包囲部１１は、バッテリーポスト９０とほぼ同じテーパ角で上端へ向けて次第に径が小さくなるとともに、その周方向の前端部において所定の幅で開放された円環状をなし、換言すれば、バッテリーポスト９０の外周を取り囲む有端環状をなしている。そして、包囲部１１は、前記幅を狭める向きに縮径変形可能とされており、縮径前の状態ではバッテリーポスト９０に遊嵌されている。
【００１６】
バレル部１３は、包囲部１１の後端側に連なって形成されている。詳しくはバレル部１３は、包囲部１１の上端から後方へ折り曲げられて延びる天井部１４と、天井部１４の左右両端側から下方へ突出する一対の圧着片１５とからなる。かかるバレル部１３は、電線８０の芯線８１に対して両圧着片１５をかしめ付けることにより、電線８０に電気的に接続されるようになっている。
【００１７】
締付片１２は、包囲部１１の開放端側となる前端側に連なって形成されている。詳しくは締付片１２は、包囲部１１の前端から互いに対向しつつ径方向外側へ延びる一対の略矩形平板状をなす対向片１６Ａ、１６Ｂを有している。両対向片１６Ａ、１６Ｂは、図３に示すように、互いに略平行な状態を保ちながら、上下方向（高さ方向）及び左右方向（幅方向）に対して所定の傾斜角をもって傾斜する形態とされている。そして、両対向片１６Ａ、１６Ｂには、相互の同軸線上の位置に、略円形の孔１７が貫通して形成されている。両対向片１６Ａ、１６Ｂのうち、相対的に下側に配置される対向片（以下、下側対向片１６Ｂ）は、その下側対向片１６Ｂの中央部に孔１７が形成され、相対的に上側に配置される対向片（以下、上側対向片１６Ａ）は、その上側対向片１６Ａの上部に孔１７が形成されている。
【００１８】
また、下側対向片１６Ｂの上端及び前端には、上側対向片１６Ａから離れるようにして、下側対向片１６Ｂの板面と略直角な向きに曲げられたリブ１８が形成されている。また、下側対向片１６Ｂの下端には、上側対向片１６Ａへ向けて、下側対向片１６Ｂの板面と略直角な向きに曲げられたリブ１９が形成され、上側対向片１６Ａの上端には、下側対向片１６Ｂへ向けて、上側対向片１６Ａの板面と略直角な向きに曲げられたリブ２１が形成されている。各リブ１８、１９、２１は、対向片１６Ａ、１６Ｂの上端、前端、及び下端に沿って延びる形態とされている。
【００１９】
ここで、図６及び図７に示すように、両対向片１６Ａ、１６Ｂの孔１７にボルト５０の軸部５１が挿入され、ボルト５０の頭部５２が下側対向片１６Ｂに斜め下方から着座させられ、かつ、ナット６０が軸部５１に緩く螺嵌されつつ上側対向片１６Ａに斜め上方から着座させられ、その状態で、ナット６０が軸部５１にねじ込まれることにより、両対向片１６Ａ、１６Ｂが互いに接近し、それに伴って包囲部１１が徐々に縮径してバッテリーポスト９０に固定されるようになっている。この場合、リブ１８は、ボルト５０の頭部５２の回り止めとしての役割をはたす。
【００２０】
さて、締付片１２には、上側対向片１６Ａの下端部からナット６０を受ける面側の上方へ折り返された折曲片２３が形成されている。詳しくは折曲片２３は、上側対向片１６Ａの下端に連なる略Ｕ字形の回曲部２４と、回曲部２４から上側対向片１６Ａとの間に隙間を保有しつつ立ち上がる平板状の受け部２５とからなる。回曲部２４及び受け部２５は、上側対向片１６Ａの下端の全長に亘る前後長を有している。そして、受け部２５の立ち上げ端（上端）は、上側対向片１６Ａの全高の半分を少し越える高さ位置に至り、その中間部に、略半円弧状の凹部２６が切り欠いて形成されている。凹部２６は、上側対向片１６Ａの孔１７の略下半部と整合し、かつこの孔１７と同軸で連通する形態とされている。
【００２１】
受け部２５の外側面（折曲片２３の折り返しの外側面）は、ナット６０を受ける締付面２７とされている。ナット６０が受け部２５の締付面２７を押動することにより、締付片１２が回曲部２４（上側対向片１６Ａの下端部）を支点として上側対向片１６Ａ側へ撓み変形されるようになっている。この場合、受け部２５と上側対向片１６Ａとの間の隙間は、折曲片２３の撓み空間２８とされ、締付片１２が自然状態にあるときには一定間隔に保たれ（図６を参照）、折曲片２３が撓み状態にあるときには受け部２５の倒れ込みによってその上部側で狭小となる（図７を参照）。
【００２２】
実施形態１に係るバッテリーターミナル１０の構造は上述の通りであり、続いて、バッテリーターミナル１０の作用を説明する。
図４及び図６に示すように、両締付片１２の孔１７に斜め下方からボルト５０の軸部５１を挿入し、上側対向片１６Ａの上方へ突き出る軸部５１の上端側にナット６０を緩く嵌め付ける。すると、ボルト５０の軸部５１の外周面が凹部２６の内周面に沿って配置される。そして、バッテリーポスト９０に上方から包囲部１１を嵌める。このとき、包囲部１１は、バッテリーポスト９０に遊嵌される。
【００２３】
その状態で、ボルト５０の軸部５１にナット６０を図示しないインパクトレンチ等を用いて回転させながらねじ込む。このとき、ボルト５０の軸部５１が凹部２６の内周面を摺動する。そして、ナット６０のねじ込みに伴い、両締付片１２が互いに接近するとともに、受け部２５の上端側が回曲部２４を支点として撓み空間２８側へ傾倒変位する。こうして折曲片２３が弾性的に変形すると、上側対向片１６Ａの下端部に折曲片２３の弾性変形動作に起因する弾性復元力が蓄勢され、この弾性復元力がボルト５０及びナット６０の締め付け力の分力となり、締め付け力の作用方向を下方へ偏向させる。
【００２４】
また、両締付片１２が互いに接近すると、包囲部１１が徐々に縮径されて、バッテリーポスト９０の外周面に包囲部１１が密着するように接触し、もってバッテリーターミナル１０がバッテリーポスト９０に固定される。図７に示すように、正規の締め付け状態では、上側対向片１６Ａのリブ２１の先端が下側対向片１６Ｂに斜め上方から当接するとともに、下側対向片１６Ｂのリブ１９の先端が上側対向片１６Ａに斜め下方から当接し、もってボルト５０及びナット６０のそれ以上の締め付け動作が規制される。この場合、リブ１９、２１は、ボルト５０及びナット６０の過度締めを阻止する役割をはたす。また、正規の締め付け状態では、折曲片２３の受け部２５がナット６０と上側対向片１６Ａとの間に挟持され、受け部２５の上端角部が上側対向片１６Ａに斜め上方から当接する。なお、両締付片１２の締め付け前、ナット６０の座面の下半部に折曲片２３の受け部２５が面接触状態で当接し（図６を参照）、両締付片１２の締め付け後、ナット６０の座面の下端部に折曲片２３の受け部２５が点接触状態で当接するようになっている（図７を参照）。また、両締付片１２の締め付け前及び締め付け後のいずれにおいても、ナット６０の座面の上半部は非接触状態に保たれている。
【００２５】
以上説明したように、実施形態１によれば、ボルト５０及びナット６０の締め付けに伴い、折曲片２３が上側対向片１６Ａの下端部を支点として弾性変形し、これによって包囲部１１にその浮き上がりを規制する下向きの抑止力がはたらくようになるから、包囲部１１がバッテリーポスト９０の外周面を上方へ摺動するのが回避され、バッテリーポスト９０に対するバッテリーターミナル１０の固定力が弱まるのが防止される。その結果、バッテリーターミナル１０の取り付けの信頼性が高められる。また、折曲片２３のスプリングバックによってナット６０が軸部５１に緊密に螺着されるため、ナット６０の緩み止めも担保される。
【００２６】
また、折曲片２３がナット６０の下半部に当接して上半部には当接しないため、包囲部１１の浮き上がりを規制する下向きの抑止力がより大きく作用することとなり、バッテリーポスト９０に対するバッテリーターミナル１０の取り付けの信頼性がいっそう高められる。
さらに、折曲片２３がナット６０を受ける側に形成されているから、締め付けの過程で、ナット６０と折曲片２３とが常時接触する状態に保たれる。その結果、折曲片２３が円滑に弾性変形される。
【００２７】
＜他の実施形態＞
本発明は上記記述及び図面によって説明した実施形態に限定されるものではなく、例えば次のような実施形態も本発明の技術的範囲に含まれる。
（１）折曲片は、下側対向片の下端部に形成されるものであってもよく、また下側対向片及び上側対向片の両下端部に形成されるものであってもよい。
（２）両締付片は、上下方向に沿って略垂直に配置されていてもよい。
（３）折曲片は、ボルトの頭部を受ける側に形成されていてもよい。
【符号の説明】
【００２８】
１０…バッテリーターミナル
１１…包囲部
１２…締付片
１７…孔
２３…折曲片
５０…ボルト（固定具）
６０…ナット（固定具、固定具の締付部分）
９０…バッテリーポスト
【図１】
2011129418.tif 000003
【図２】
2011129418.tif 000004
【図３】
2011129418.tif 000005
【図４】
2011129418.tif 000006
【図５】
2011129418.tif 000007
【図６】
2011129418.tif 000008
【図７】
2011129418.tif 000009